(57)【要約】【課題】安価で部品点数が少なく、異なる高さ／目の格子に適用可能な組立簡単な格子固定素子を得る。【解決手段】格子５０を支持体４０に固定するための固定素子であって、脚状の第１把持部材１１および第２把持部材１２を有し、これら把持部材を連結部から突出させ、かつ連結部の長手方向軸線L上で互いに離間するように設けた、該固定素子１０において、連結部を、少なくとも部分的にばね素子１３で構成し、少なくとも長手方向軸線Lの方向に、少なくとも初期長さAの１５０％まで弾性的に伸張可能、また、初期長さAの５０％まで圧縮可能とする。好適には、ばね素子１３を波形板ばねとし、少なくとも２個の起伏２２を設ける。【選択図】図２
2007225114.tif 000002
【特許請求の範囲】
【請求項１】
格子（５０）を支持体（４０）に固定するための固定素子であって、脚状の第１把持部材（１１）および第２把持部材（１２）を有し、これら把持部材を連結部から突出させ、かつ前記連結部の長手方向軸線（L）上で互いに離間するように設けた、該固定素子において、
前記連結部を、少なくとも部分的にばね素子（１３）で構成し、少なくとも前記長手方向軸線（L）の方向に、少なくとも初期長さ（A）の１５０％まで弾性的に伸張可能としたことを特徴とする格子固定素子。
【請求項２】
前記ばね素子（１３）の両側の端部を、それぞれ前記第１および第２把持部材（１１、１２）の第１および第２の連結領域（２０、２１）に固着した請求項１記載の格子固定素子。
【請求項３】
前記ばね素子（１３）を、その初期長さ（A）より、弾性的に伸張および圧縮可能とした請求項１または２記載の格子固定素子。
【請求項４】
前記ばね素子（１３）を、長手方向軸線（L）の方向に、その初期長さ（A）の２００％まで伸張可能とした請求項１〜３いずれか１項記載の格子固定素子。
【請求項５】
前記ばね素子（１３）を、長手方向軸線（L）の方向に、その初期長さ（A）の５０％まで圧縮可能とした請求項１〜４いずれか１項記載の格子固定素子。
【請求項６】
前記ばね素子（１３）を波形板ばねとした請求項１〜５いずれか１項記載の格子固定素子。
【請求項７】
前記波形板ばねに、少なくとも２個の起伏（２２）を設けた請求項６記載の格子固定素子。
【請求項８】
前記ばね素子（１３）を、前記長手方向軸線（L）、および前記第１把持部材（１１）の長手方向軸線（S）の双方に対して直交する方向には、曲げ剛性の高いものとした請求項１〜７いずれか１項記載の格子固定素子。
【請求項９】
ねじ手段（３０）のための迫台を有する貫通孔（１５）を、前記第２把持部材に設け、前記ねじ手段（３０）の雄ねじ部（３１）に対応する雌ねじ部（２４）、および該格子固定素子（１０）を前記支持体（４０）に固定するよう前記第２把持部材に指向する固持手段（２６）を、前記第１把持部材に設けた請求項１〜８いずれか１項記載の格子固定素子。
【請求項１０】
前記第１把持部材に、この第１把持部材（１１）の長手方向軸線（S）および前記連結部の長手方向軸線（L）に対して側方に突出する張り出し部（１６）を設けた請求項１〜９いずれか１項記載の格子固定素子。
【発明の詳細な説明】
【技術分野】
【０００１】
本発明は、格子体のような格子のための、請求項１の前半部分に記載したような、格子を支持体に固定するための固定素子であって、脚状の第１把持部材および第２把持部材を有し、これら把持部材を連結部から突出させ、かつ前記連結部の長手方向軸線（L）上で互いに離間するように設けた、格子固定素子に関するものである。
【背景技術】
【０００２】
特許文献１には、複数個の部分からなる格子体のための固定素子が記載されている。この格子固定素子は、支持体を把持する基本部材、サドル状クリップ、およびこれら双方の部材を互いに連結するためのねじを備える。基本部材の一方の端部には、ばね素子により、回転軸線の周りに回転して弾性的に衝合し合う単独の回転クリップを設ける。この回転クリップは、基本部材の回転クリップ側とは反対側の端部を支持体に当接させた状態で、格子の下面に取り付けることができる。これに対しサドル状クリップは、格子の上面に取り付け可能で、ねじを介して、基本部材に対し緊締できる。
【特許文献１】米国特許第４３６２４２２号明細書
【０００３】
この既知の格子固定素子の欠点は、部品点数が多く、組み立てにコストがかかる点にある。
【０００４】
特許文献２には、互いに対向する２個の脚を連結部から突出させた、金属格子のためのU字形の圧迫固定素子が記載されている。第２脚の、連結部とは反対側の端部を、第1脚とは反対方向に傾斜させ、第１脚の、連結部とは反対側の端部を、第２脚の方向に傾斜させる。この圧迫固定素子の組み立ての際に、回動点を生ずるようにするため、第１脚の曲げ端部の近傍に、第２脚に指向する少なくとも１個の張り出し部を設ける。この張り出しは、圧迫固定素子の組み立ての際に、金属格子セルの１個の横桟の端縁に掛合する。
【特許文献２】欧州特許第０９２３６７５号明細書
【０００５】
この既知の圧迫固定素子の欠点は、一定の高さを持つ格子にのみ利用可能であり、異なる高さの格子、もしくは異なる格子と支持体との組み合わせに対応させるためには、異なる長さの連結部を有する異なる種類の多くの圧迫固定素子を予め用意する必要がある点にある。
【発明の開示】
【発明が解決しようとする課題】
【０００６】
本発明の課題は、上述の欠点を回避し、組み立てが簡単な固定素子を得ることにある。
【課題を解決するための手段】
【０００７】
この課題は、請求項１に記載する格子固定素子により達成される。本発明格子固定素子によれば、連結部を、少なくとも部分的にばね素子で構成し、少なくとも前記長手方向軸線の方向に、少なくとも初期長さの１５０％まで弾性的に伸張可能とする。この構成により、連結部の長手方向軸線上で互いに離間させ、比較的曲げ剛性の高い双方の把持部材間の距離は、ばね素子が伸張することで、その連結部の長手方向軸線の方向に変化するので、格子固定素子は異なる高さの格子に利用可能となり、また同時に、組立簡単であり、把持力に優れた構成となる。
【発明を実施するための最良の形態】
【０００８】
好適には、ばね素子の両側の端部を、それぞれ第１および第２の把持部材の第１および第２の連結領域に固着する。この構成により、格子固定素子の、曲げ剛性の高い２個の把持部材は、個別のばね素子を介して互いに連結する構成となり、製造簡単な格子固定素子が得られる。
【０００９】
さらに好適には、ばね素子を、その初期長さより弾性的に伸張および圧縮可能とする。この構成により、格子固定素子は、この固定素子の初期位置における、長手方向軸線上の双方の把持部材間距離よりも高さが小さいまたは大きい格子にも、自在に適用可能となる。
【００１０】
好適には、ばね素子を、長手方向軸線の方向に、その初期長さの２００％まで伸張可能とする。この構成により、長手方向軸線上の双方の把持部材間距離を任意の大きさに自在に適用させることができる。さらに、ばね素子を、長手方向軸線の方向にその初期長さの５０％まで圧縮可能とすると、一層好適である。
【００１１】
好適には、ばね素子は、本発明格子固定素子での使用に極めて適合するばね特性を有する波形板ばねとする。好適には、この波形板ばねに、優れた伸縮性を持たせるため少なくとも２個の起伏を設ける。
【００１２】
さらに好適には、把持部材の、格子固定素子が画定する平面に対して側方に生じる傾斜や振動を最小限に抑えるため、ばね素子は、その長手方向軸線、および第１把持部材の長手方向軸線の双方に対して直交する方向には曲げ剛性の高いものに構成する。
【００１３】
さらに好適には、ねじ手段のための迫台を設けた貫通孔を第２把持部材に設け、ねじ手段の雄ねじ部に対応する雌ねじ部、および格子固定素子を支持体に固定するよう第２把持部材に指向する固持手段を第１把持部材に設ける。この構成により、格子固定素子は、ねじ手段により高い把持力を格子体および支持体に加えて固定でき、格子板は、規定外の側に、または支持体もしくは下部構造から容易に外れてしまわない構成となる。
【００１４】
さらに好適には、脚状の第１把持部材に、この第１把持部材の長手方向軸線および連結部の長手方向軸線に対して側方に突出し、把持力をもたらすよう、格子体のための第1把持部材のストッパとして機能する張り出し部を設ける。
以下、図面につき本発明の好適な実施例を詳細に説明する。
【実施例】
【００１５】
図１および図２には、格子５０もしくは格子体を、下部構造の支持体４０などに固定するための本発明固定素子１０の実施例を示す。この固定素子１０は複数個の部材により構成し、ほぼU字形にする。さらにこの固定素子１０には、支持体４０に掛合する脚状の第１把持部材１１と、格子５０に掛合する第２把持部材１２もしくは保持部材とを設け、これら双方の把持部材１１，１２を、これら把持部材を互いに連結する、複数個の起伏２２を有する波形板ばねの形式としたばね素子１３から同一側面の方向に突出させる。このとき双方の把持部材１１、１２は、連結部もしくはばね素子１３で画定される長手方向軸線Lに沿って互いに離間し、どちらも比較的曲げ剛性の高いものに構成する。ばね素子１３は個別の構成部材とし、その一方の端部を第１把持部材１１の第１連結領域２０に、もう他方の端部を第2把持部材１２の第２連結領域２１に固定する。このとき、連結領域２０、２１も長手方向軸線Lの方向に延在する。この固定は、例えば、ろう付けや溶接による材料結合、クリップ結合によるクランプ力連結、もしくは形状ロック連結によって行うことができる。
【００１６】
第２把持部材１２には、貫通孔１５を有する凹部１４と、ねじ手段３０のための迫台とを設ける。さらに、第２把持部材１２には、凹部１４を取り囲み、サドル状に互いに直交する側面を有する第１〜第３の受け台１７，１８，１９を設ける。図２に示すように、これら第１〜第３の受け台１７，１８，１９は、固定素子１０の組み付け状態で、格子の横桟５１および／もしくは縦桟５２を抱き込む。図示の実施例では、サドル状受け台１７，１８，１９の幅B１，B２，B３はそれぞれ異なる寸法にし、様々な目の大きさの格子体に容易に取り付けることができるようにする。このとき、第１受け台１７の幅B１を他の幅よりも大きく構成することにより、格子５０上での固定素子１０の可動性が保証し、正確な位置調整が可能となる。
【００１７】
第１把持部材には、第２把持部材１２に形成した貫通孔１５に対向する孔２５を設け、この孔２５に雌ねじ部２４を有するナット２３を配置し、このナットに対して、図２に示すように、ねじ手段３０の雄ねじ部３１がねじ掛合することができるようにする。さらに、第1把持部材１１の横断面をU字形とすることで、固定素子１０を補強する。
【００１８】
さらに第１把持部材１１には、そのばね素子１３とは反対側の端部領域２７に、第２把持部材に指向する歯として構成した固持手段２６を設ける。このとき第１把持部材１１は脚状の長手方向軸線Sの方向に、第２把持部材１２よりも長く構成する。第1把持部材１１の貫通案内口２０領域には、脚状の長手方向軸線Sおよび長手方向軸線Lに対し側方に突出する張り出し部１６を設ける。この張り出し部１６は固定素子１０を組み付けた際に、格子50の桟の下面に対するストッパとして機能する。
【００１９】
本発明固定素子１０の組み立てに際しては、まず第１把持部材１１およびばね素子１３を、図示しない方法で格子５０の２本の横桟５１の間に通し、第１把持部材１１の端部領域２７の固持手段２６を支持体４０の下面に位置決めするように回し込む。このとき、ばね素子１３は、格子の高さに応じるように、場合によっては伸長させ、もし格子の高さが小さければ圧縮させる。さらに、ばね素子１３は、その長手方向軸線L上で、その初期長さ（A）の少なくとも１５０％まで、好適には２００％まで伸長可能とし、その初期長さ（A）の５０％まで圧縮可能とする。ばね素子１３はまた、脚状部材の長手方向軸線Sの方向にも弾性的に移動可能とする。初期長さ（A）は、本発明において、図１に示すように、固定素子をまだ組み付けていない状態、もしくは他の方法で操作していない、特にその長手方向軸線Lの方向に圧縮もしくは加圧されていない状態でのばね素子１３の長さである。
【００２０】
固定素子１０を格子５０と支持体４０に配置した後、ストッパとして機能する張り出し部１６を、格子５０の縦桟５２の第２把持部材１２が位置する側とは反対側の面に当接させる。さらに、張り出し部１６を、前記第３受け台１９の射影関係になるようにすることで、必ず格子５０の桟の１つに当接させることができる。
【００２１】
貫通孔１５に通して案内したねじ手段３０の雄ねじ部３１を、ナット２３の雌ねじ部２４にねじ込むことで固定素子１０を固定する。図２に示すように、このみ付け後の状態において、第２把持部材１２は、そのサドル状の第１~第３の受け台１７，１８，１９により、格子５０の横桟５１および縦桟５２上に載置する。さらに、張り出し部１６は、縦桟５２の１つを挟み込む。既に示したように、第１把持部材１１は、その端部領域２７に設けた固持手段２６で、支持体４０の下面に当接し、そこで噛み合う。このようにして、格子５０を支持体４０に確実に取り付けることが可能となる。ばね素子１３は、ねじ手段３０をねじ込むことで、図１に示す初期長さ（A）の約７５％まで圧縮することができる。
【図面の簡単な説明】
【００２２】
【図１】本発明格子固定素子の斜視図である。
【図２】格子体および支持体を固定した状態を示す本発明格子固定素子の一部断面とする側面図である。
【符号の説明】
【００２３】
１０  固定素子
１１  脚状の第１把持部材
１２  第２把持部材
１３  ばね素子
１４  凹部
１５  貫通孔
１６  張り出し部
１７  第１受け台
１８  第２受け台
１９  第３受け台
２０  第１連結領域
２１  第２連結領域
２２  起伏
２３  ナット
２４  雌ねじ部
２６  固持手段
２７  端部領域
３０  ねじ手段
３１  雄ねじ部
４０  支持体
５０  格子
５１  横桟
５２  縦桟
A  初期長さ
L  連結部の長手方向軸線
S  脚状の第１把持部材の長手方向軸線
【図１】
2007225114.tif 000003
【図２】
2007225114.tif 000004